(57)【要約】【課題】便鉢部内または局部洗浄装置の被洗浄部に対して除菌性を有する洗浄水を噴出する局部洗浄装置において、除菌効果のばらつきを抑制すること。【解決手段】局部洗浄装置１は、ノズル４５ｂ，４５ｃの先端部４５ｂ１，４５ｃ１に洗浄水を噴出する洗浄ノズル４５ｄと、内部に洗浄水が流れる除菌ケーシング６１と、除菌ケーシング６１に収容されて洗浄水と接触することにより殺菌性を有する銀イオンを洗浄水に溶出する粒状の除菌剤６２と、を備えた除菌性付与部６０と、除菌ケーシング６１の内部に流れる洗浄水の電気抵抗値を検出する電気抵抗検出部７０と、洗浄水を加熱する加熱装置４３と、を備えている。局部洗浄装置１の制御装置５０は、電気抵抗検出部７０によって検出された電気抵抗値に基づいて、除菌性付与部６０に供給される洗浄水の温度を加熱装置４３によって制御する温度制御部５１を備えている。【選択図】  図８
2018025063.tif 000002
【特許請求の範囲】
【請求項１】
便鉢部を有する腰掛式便器に設置され、給水源から給水装置を介して供給された洗浄水を噴出して人体の局部を洗浄する局部洗浄装置であって、
前記給水装置から前記洗浄水が供給され、前記便鉢部または前記局部洗浄装置の被洗浄部に前記洗浄水を噴出する洗浄ノズルと、
前記給水装置と前記洗浄ノズルとの間に設けられて内部に前記洗浄水が流れるケーシングと、前記ケーシングに収容されて前記洗浄水と接触することにより殺菌性を有する金属イオンを前記洗浄水に溶出する粒状の除菌剤と、を備えた除菌性付与部と、
前記ケーシングの内部に流れる前記洗浄水の電気抵抗値を検出する電気抵抗検出部と、
前記給水装置における前記洗浄水を導入する導入部と前記除菌性付与部との間に設けられ、前記洗浄水を加熱する加熱装置と、
前記加熱装置を少なくとも制御する制御装置と、を備え、
前記制御装置は、前記電気抵抗検出部によって検出された前記電気抵抗値に基づいて、前記除菌性付与部に供給される前記洗浄水の温度を前記加熱装置によって制御する温度制御部を備えている局部洗浄装置。
【請求項２】
前記ケーシングは、内部に前記洗浄水が流入する流入口および内部から前記洗浄水が流出する流出口を備え、
前記流入口の流路断面積は、前記流出口の流路断面積より小さく設けられている請求項１に記載の局部洗浄装置。
【請求項３】
前記流入口は、前記洗浄水が第一方向に沿って前記ケーシングの内部に流入するように設けられ、
前記流出口は、前記洗浄水が第二方向に沿って前記ケーシングの内部から流出するように設けられ、
前記第一方向と前記第二方向とは、ねじれの関係にある請求項２に記載の局部洗浄装置。
【発明の詳細な説明】
【技術分野】
【０００１】
本発明は、局部洗浄装置に関する。
【背景技術】
【０００２】
局部洗浄装置の一形態として、特許文献１に示されているものが知られている。特許文献１の局部洗浄装置は、人体の局部を洗浄水で洗浄するお尻用ノズル４９およびビデ用ノズル５１、各ノズル４９，５１に供給する洗浄水を貯留する温水タンク（ケース２）、温水タンク内の洗浄水を加熱する温水ヒータ４１、温水タンク内に収容され、洗浄水に接触することにより溶解して洗浄水に抗菌成分を付与する抗菌剤７３、および、温水タンクからの洗浄水を各ノズル４９，５１に向けて噴出することにより、各ノズル４９，５１の除菌を行うノズル洗浄口６０を備えている。
【先行技術文献】
【特許文献】
【０００３】
【特許文献１】特開２００８−１２１３０３号公報
【発明の概要】
【発明が解決しようとする課題】
【０００４】
しかしながら、特許文献１の局部洗浄装置においては、除菌剤が温水タンク内に収容されているため、除菌剤が常に溶解する。よって、前回除菌を行った時点からの経過時間が比較的短い場合、洗浄水に付与された抗菌成分が比較的少なくなるため、洗浄水の抗菌成分の濃度が比較的低くなる。この場合、十分な除菌効果を得られないときがある。一方、前回除菌を行った時点からの経過時間が比較的長い場合、洗浄水に付与された抗菌成分が比較的多くなるため、洗浄水の抗菌成分の濃度が比較的高くなる。この場合、十分な除菌効果が得られる。このように、洗浄水の抗菌成分の濃度が変動するため、抗菌効果にばらつきが生じる。
【０００５】
本発明は、上述した問題を解消するためになされたもので、便鉢部内または局部洗浄装置の被洗浄部に対して除菌性を有する洗浄水を噴出する局部洗浄装置において、除菌効果のばらつきを抑制することを目的とする。
【課題を解決するための手段】
【０００６】
上記の課題を解決するため、請求項１に係る局部洗浄装置は、便鉢部を有する腰掛式便器に設置され、給水源から給水装置を介して供給された洗浄水を噴出して人体の局部を洗浄する局部洗浄装置であって、給水装置から洗浄水が供給され、便鉢部または局部洗浄装置の被洗浄部に洗浄水を噴出する洗浄ノズルと、給水装置と洗浄ノズルとの間に設けられて内部に洗浄水が流れるケーシングと、ケーシングに収容されて洗浄水と接触することにより殺菌性を有する金属イオンを洗浄水に溶出する粒状の除菌剤と、を備えた除菌性付与部と、ケーシングの内部に流れる洗浄水の電気抵抗値を検出する電気抵抗検出部と、給水装置における洗浄水を導入する導入部と除菌性付与部との間に設けられ、洗浄水を加熱する加熱装置と、加熱装置を少なくとも制御する制御装置と、を備え、制御装置は、電気抵抗検出部によって検出された電気抵抗値に基づいて、除菌性付与部に供給される洗浄水の温度を加熱装置によって制御する温度制御部を備えている。
【発明の効果】
【０００７】
これによれば、局部洗浄装置の制御装置は、電気抵抗検出部によって検出された電気抵抗値に基づいて、除菌性付与部に供給される洗浄水の温度を加熱装置によって制御する。除菌性付与部に供給される洗浄水の温度が高くなるにしたがって、除菌剤から洗浄水に溶出する金属イオンの量が多くなるため、洗浄水の金属イオンの濃度が高くなり、かつ、除菌効果が大きくなる。また、洗浄水の金属イオンの濃度が高くなるにしたがって、洗浄水の電気抵抗値が小さくなる。よって、制御装置が電気抵抗検出部によって検出された電気抵抗値に基づいて洗浄水の温度を制御することにより、洗浄水中の金属イオンの濃度をおよそ一定に調整することができる。したがって、便鉢部または局部洗浄装置の被洗浄部に対する除菌効果のばらつきを抑制することができる。
【図面の簡単な説明】
【０００８】
【図１】本発明の一実施形態に係る局部洗浄装置を示す斜視図である。
【図２】図１に示す局部洗浄装置の模式図である。
【図３】図２に示す除菌性付与部を示す概要図である。
【図４】図３に示すIV−IV線に沿った除菌性付与部の断面図である。
【図５】洗浄水の銀イオンの濃度と洗浄水の温度との第一相関関係を示す図である。
【図６】洗浄水の銀イオンの濃度と洗浄水の電気抵抗値との第二相関関係を示す図である。
【図７】図２に示す局部洗浄装置のブロック図である。
【図８】図２に示す制御装置が実行するフローチャートである。
【発明を実施するための形態】
【０００９】
以下、本発明による局部洗浄装置の一実施形態について説明する。局部洗浄装置１は、図１に示すように、腰掛式便器２に取り付けられている。腰掛式便器２は、便鉢部２ａを有している。局部洗浄装置１は、水道配管３（本発明の給水源に相当；図２参照）から給水装置４１（図２参照）を介して供給された洗浄水を噴出することにより人体の局部を洗浄するものである。
【００１０】
局部洗浄装置１は、本体部１０、便座２０、便座２０を覆う便蓋３０を備えている。本体部１０は、図１および図２に示すように、本体ケーシング１０ａ、洗浄機能部４０および制御装置５０を備えている。
【００１１】
本体ケーシング１０ａは、中空の箱状に形成されている。本体ケーシング１０ａは、便座２０および便蓋３０を回動可能に保持する。本体ケーシング１０ａは、洗浄機能部４０および制御装置５０を収納する。
【００１２】
洗浄機能部４０は、水道配管３から供給された水によって人体の局部の洗浄を行うものである。洗浄機能部４０は、水道配管３からの水（上水）を洗浄水として人体の局部に向けて噴出する。洗浄機能部４０は、図２に示すように、給水装置４１、流量検出装置４２、加熱装置４３、ポンプ４４およびノズル装置４５を備えている。
【００１３】
また、洗浄機能部４０は、洗浄水が流れる４つの接続水路Ｌ１〜Ｌ４を備えている。各接続水路Ｌ１〜Ｌ４は、管状のホースである。第一の接続水路Ｌ１は、給水装置４１と流量検出装置４２とを接続する。第二の接続水路Ｌ２は、流量検出装置４２と加熱装置４３とを接続する。第三の接続水路Ｌ３は、加熱装置４３とポンプ４４とを接続する。第四の接続水路Ｌ４は、ポンプ４４とノズル装置４５とを接続する。
【００１４】
洗浄水は、給水装置４１、第一の接続水路Ｌ１、流量検出装置４２、第二の接続水路Ｌ２、加熱装置４３、第三の接続水路Ｌ３、ポンプ４４、第四の接続水路Ｌ４およびノズル装置４５の順に流れる。
【００１５】
給水装置４１は、水道配管３からの洗浄水を洗浄機能部４０に導入するものである。給水装置４１は、水道配管３に取り付けられた分岐水栓３ａに、洗浄水が流れる給水ホースＨを介して接続されている。分岐水栓３ａは、水道配管３を流れる水（上水）を洗浄水として給水ホースＨに導出する。給水装置４１は、給水ホースＨからの洗浄水を第一の接続水路Ｌ１に導出する。
【００１６】
給水装置４１は、開状態である場合に洗浄水の流れを許容し、閉状態である場合に洗浄水の流れを規制する電磁弁である。また、給水装置４１は、通電されている場合に開状態となり、非通電である場合に閉状態となるノーマルクローズ型の電磁弁である。
【００１７】
流量検出装置４２は、洗浄水の流量（単位時間あたりの流量）を検出するものである。流量検出装置４２は、第一温度センサ４２ａおよび流量センサ４２ｂが設けられている。
第一温度センサ４２ａは、流量検出装置４２を流れる洗浄水の温度（特に第一温度センサ４２ａの設置場所の温度）を検出するものである。第一温度センサ４２ａによって検出された洗浄水の温度は、検出信号として制御装置５０に送信される。
【００１８】
流量センサ４２ｂは、洗浄水の流量（特に流量センサ４２ｂの設置場所の流量（単位時間あたりの流量））を検出するものである。流量センサ４２ｂは、例えば羽根車式の流量センサである。流量センサ４２ｂによって検出された洗浄水の流量は、検出信号として制御装置５０に送信される。
【００１９】
加熱装置４３は、洗浄水を加熱するものである。人体の局部が洗浄される場合、加熱装置４３は、洗浄水の温度を使用者によって設定された第一所定温度（例えば３８℃）となるように洗浄水を加熱する。加熱装置４３は、加熱ヒータ４３ａおよび第二温度センサ４３ｂが設けられている。
【００２０】
加熱ヒータ４３ａは、制御装置５０からの制御信号にしたがって、洗浄水を加熱するものである。加熱ヒータ４３ａは、洗浄水が加熱装置４３を流れるときに、洗浄水に直接接触して、水道配管３からの洗浄水を加熱する。加熱ヒータ４３ａは、例えば、セラミックヒータである。なお、加熱ヒータ４３ａがＰＷＭ（Ｐｕｌｓｅ  Ｗｉｄｔｈ  Ｍｏｄｕｌａｔｉｏｎ）制御されているため、加熱ヒータ４３ａの制御指令値は、デューティ比にて算出される。
【００２１】
第二温度センサ４３ｂは、洗浄水の温度（特に第二温度センサ４３ｂの設置場所の温度）を検出するものである。第二温度センサ４３ｂは、加熱ヒータ４３ａによって加熱された洗浄水の温度を検出する。第二温度センサ４３ｂによって検出された洗浄水の温度は、検出信号として制御装置５０に送信される。第二温度センサ４３ｂによって検出される温度が、目標温度となるように、加熱ヒータ４３ａが制御される。人体の局部が洗浄されている場合、目標温度は第一所定温度である。
【００２２】
ポンプ４４は、水路容積を変化させることにより、洗浄水を脈動させるものである。ポンプ４４は、往復運動するピストン（図示なし）を含んで構成された容積式往復動ポンプ（例えばダイヤフラムポンプ）である。ポンプ４４によって、ノズル装置４５から噴出する洗浄水が脈動することにより、洗浄水の流量が比較的少ない場合においても、洗浄水が脈動しない場合に比べて、人体の局部を洗浄する水勢を強くすることができる。
【００２３】
ノズル装置４５は、第四の接続水路Ｌ４からの洗浄水を人体の局部に向けて噴出するものである。ノズル装置４５は、流路切替弁４５ａ、第五の接続水路Ｌ５、第六の接続水路Ｌ６、第七の接続水路Ｌ７、おしりノズル４５ｂ、ビデノズル４５ｃおよび洗浄ノズル４５ｄを備えている。
【００２４】
各接続水路Ｌ５，Ｌ６，Ｌ７は、洗浄水が流れる流路であり、例えばシリコンゴムによって形成された屈曲性を有する管状のホースである。第五の接続水路Ｌ５は、流路切替弁４５ａとおしりノズル４５ｂとを接続する。第六の接続水路Ｌ６は、流路切替弁４５ａとビデノズル４５ｃとを接続する。第七の接続水路Ｌ７は、流路切替弁４５ａと洗浄ノズル４５ｄとを接続する。
【００２５】
流路切替弁４５ａは、制御装置５０からの制御信号にしたがって、第四の接続水路Ｌ４からの洗浄水を、第五の接続水路Ｌ５、第六の接続水路Ｌ６および第七の接続水路Ｌ７のうちの一つに選択的に切り替えて導出するものである。流路切替弁４５ａは、例えば四方弁である。また、流路切替弁４５ａは、制御装置５０からの制御信号にしたがって、洗浄水が流れる水路の流路断面積を可変させることにより、洗浄水の流量を調整可能に設けられている。
【００２６】
おしりノズル４５ｂは、おしり洗浄を行うものである。おしりノズル４５ｂは、第五の接続水路Ｌ５からの洗浄水を人体の局部に向けて噴出する。
ビデノズル４５ｃは、ビデ洗浄を行うものである。ビデノズル４５ｃは、第六の接続水路Ｌ６からの洗浄水を人体の局部に向けて噴出する。
【００２７】
ノズル４５ｂ，４５ｃは、内側に洗浄水が流れる真直の筒状にそれぞれ形成されている。ノズル４５ｂ，４５ｃは、先端部４５ｂ１，４５ｃ１に洗浄水を噴出する噴出穴（図示なし）がそれぞれ設けられている。ノズル４５ｂ，４５ｃの各々は、洗浄位置および収納位置との間を移動可能に配置されている。収納位置は、ノズル４５ｂ，４５ｃの全部が本体部１０（本体ケーシング１０ａ）に収納された位置である。洗浄位置は、ノズル４５ｂ，４５ｃの先端部４５ｂ１，４５ｃ１側が本体部１０より外部に露出して人体の局部の洗浄を行う位置である（図１参照）。
【００２８】
洗浄ノズル４５ｄは、給水装置４１から洗浄水が供給され、洗浄水を局部洗浄装置１の被洗浄部に向けて噴出するものである。洗浄ノズル４５ｄは、具体的には、第七の接続水路Ｌ７から洗浄水が供給される。被洗浄部は、収納位置に位置するノズル４５ｂ，４５ｃの先端部４５ｂ１，４５ｃ１である。
【００２９】
また、洗浄機能部４０は、除菌性付与部６０および電気抵抗検出部７０をさらに備えている。除菌性付与部６０は、給水装置４１と洗浄ノズル４５ｄとの間に設けられ、洗浄水に除菌性を付与するものである。除菌性付与部６０は、具体的には、流路切替弁４５ａと洗浄ノズル４５ｄとの間に（第七の接続水路Ｌ７に）設けられている。除菌性付与部６０は、図３および図４に示すように、除菌ケーシング６１（本発明のケーシングに相当）および除菌剤６２を備えている。
【００３０】
除菌ケーシング６１は、流路切替弁４５ａと洗浄ノズル４５ｄとの間に（第七の接続水路Ｌ７に）設けられ、内部に洗浄水が流れるものである。除菌ケーシング６１は、軸線方向を左右方向（図３の左右方向）とおよそ平行とする中空の円柱状に形成されている。除菌ケーシング６１は、内部に洗浄水が流入する流入口６１ａおよび内部から洗浄水が流出する流出口６１ｂを備えている。
【００３１】
流入口６１ａは、除菌ケーシング６１の周側壁６１ｃの下側（図３の下側）に設けられている。流入口６１ａの流路断面積は、流出口６１ｂの流路断面積より小さく設けられている。流入口６１ａは、洗浄水が第一方向Ｗ１に沿って除菌ケーシング６１の内部に周側壁６１ｃの内周面に向かって流入するように設けられている。第一方向Ｗ１は、図４の左側から右側（図３の紙面奥側から紙面手前側）に向かう方向である。
【００３２】
流出口６１ｂは、除菌ケーシング６１の右側壁６１ｄ（図３の右側の側壁）の上側（図３の上側）に設けられている。すなわち、流出口６１ｂは、流入口６１ａより上方に設けられている。流出口６１ｂは、洗浄水が第二方向Ｗ２に沿って除菌ケーシング６１の内部から流出するように設けられている。第二方向Ｗ２は、図３の左側から右側（図４の紙面手前側から紙面奥側）に向かう方向である。このように、第一方向Ｗ１と第二方向Ｗ２とは、ねじれの関係にある。すなわち、第一方向Ｗ１は、第二方向Ｗ２を通るいかなる平面にも含まれない方向に設定されている。
【００３３】
除菌剤６２は、除菌ケーシング６１に収容されて洗浄水と接触することにより殺菌性を有する金属イオンを洗浄水に溶出する粒状のものである。除菌剤６２は、複数の除菌ガラスである。除菌ガラスは、銀酸化物を含むリン酸系ガラスである。リン酸系ガラスは、水に対して溶解性を有する。リン酸系ガラスが水に溶解するとき、銀酸化物は、銀イオンを水中に溶出する。すなわち、金属イオンは、銀イオンである。銀酸化物は、例えば酸化銀である。
【００３４】
洗浄水が除菌ケーシング６１の内部に流入した場合、洗浄水と除菌剤６２とが接触して銀イオンが除菌剤６２から洗浄水に溶出するため、洗浄水に除菌性が付与される。なお、洗浄水が殺菌効果を発揮するために必要な銀イオンの濃度は、およそ５０μｇ／Ｌ以上である。
【００３５】
また、除菌剤６２から洗浄水に溶出する銀イオンの量（洗浄水の単位体積あたりの量）は、洗浄水の温度が高くなるにしたがって増加する。すなわち、図５の第一マップＭ１に示すように、洗浄水の銀イオンの濃度（以下、イオン濃度とする。）と洗浄水の温度とは、除菌剤６２の大きさ（表面積の大きさ）が一定である場合、洗浄水の温度が高くなるにしたがって、洗浄水の銀イオンの濃度が高くなる第一相関関係を有する。
【００３６】
第一相関関係は、除菌剤６２の大きさに基づいて複数導出されている。具体的には、除菌剤６２の大きさが第一の所定大きさである場合の第一相関関係が図５の実線にて示される。また、除菌剤６２の大きさが第一の所定大きさより小さい第二の所定大きさである場合の第一相関関係が図５の一点破線にて示される。第一の所定大きさの除菌剤６２より第二の所定大きさの除菌剤６２の方が小さいため、除菌ケーシング６１内に供給された洗浄水の温度が同じである場合、イオン濃度は、第二の所定大きさの除菌剤の方が低くなる。なお、説明の便宜上、第一マップＭ１には、第一相関関係が二つのみ示されている。
【００３７】
電気抵抗検出部７０は、除菌ケーシング６１の内部に流れる洗浄水の電気抵抗値を検出する電気抵抗計である。電気抵抗検出部７０は、図３に示すように、測定電極７０ａ、７０ｂを備えている。測定電極７０ａは、除菌ケーシング６１の左側壁６１ｅ（図３の左側の側壁）に配置されている。測定電極７０ｂは、除菌ケーシング６１の右側壁６１ｄに配置されている。電気抵抗検出部７０によって検出された電気抵抗値は、検出信号として制御装置５０に送信される。
【００３８】
除菌ケーシング６１内の洗浄水に銀イオンが含まれている場合、洗浄水の電気抵抗値は、洗浄水の銀イオンの濃度によって変動する。この場合、図６の第二マップＭ２に示すように、イオン濃度と洗浄水の電気抵抗値とは、イオン濃度が高くなるにしたがって、洗浄水の電気抵抗値が小さくなる第二相関関係を有する。第二相関関係は、予め実験等によって実測されて導出されている。
【００３９】
制御装置５０は、局部洗浄装置１を統括制御するものである。制御装置５０は、少なくとも加熱装置４３を制御する。制御装置５０は、洗浄水を用いてノズル４５ｂ，４５ｃの先端部４５ｂ１，４５ｃ１を洗浄する洗浄制御を実行する。洗浄制御は、除菌性が付与された洗浄水を洗浄ノズル４５ｄからノズル４５ｂ，４５ｃの先端部４５ｂ１，４５ｃ１に向けて噴出する制御である（詳細は後述する）。
【００４０】
また、制御装置５０は、図７に示すように、温度制御部５１を備えている。温度制御部５１は、電気抵抗検出部７０によって検出された電気抵抗値に基づいて、除菌性付与部６０に供給される洗浄水の温度を加熱装置４３によって制御する（詳細は後述する）。制御装置５０は、第一相関関係および第二相関関係が記憶されている。
【００４１】
次に、上述した局部洗浄装置１の制御装置５０が実行する洗浄制御について、図８に示すフローチャートを用いて説明する。例えば洗浄制御を開始するスイッチ（図示なし）がオンされた時に、洗浄制御が開始される。
【００４２】
制御装置５０は、ステップＳ１０２にて、除菌性付与部６０への洗浄水の供給を開始する。制御装置５０は、具体的には、流路切替弁４５ａによって第四の接続水路Ｌ４と第七の接続水路Ｌ７とを接続する。また、制御装置５０は、給水装置４１を通電して開状態にする。そして、制御装置５０は、流量センサ４２ｂによって検出される流量が所定流量（単位時間あたりの流量）となるように流路切替弁４５ａを制御する。これにより、給水装置４１からの洗浄水が、流路切替弁４５ａを介して、除菌性付与部６０の除菌ケーシング６１の内部に流入口６１ａから所定流量にて流入する。
【００４３】
流入口６１ａは、除菌ケーシング６１の下側に、かつ、洗浄水が第一方向Ｗ１に流れるように配置されているため、除菌ケーシング６１内に流入した洗浄水は、図４に示すように、除菌ケーシング６１内を反時計回りに旋回するように周側壁６１ｃ，右側壁６１ｄ，左側壁６１ｅの内面に繰り返し反射する。
【００４４】
そして、流出口６１ｂは、除菌ケーシング６１の上側に、かつ、洗浄水が第一方向Ｗ１とねじれの関係にある第二方向Ｗ２に流れるように配置されているため、流入口６１ａからの洗浄水は、除菌ケーシング６１の周側壁６１ｃ，右側壁６１ｄ，左側壁６１ｅの内面を反射しながら流出口６１ｂに向かって流れる。よって、除菌ケーシング６１内の除菌剤６２が洗浄水の勢いによって撹拌される。このとき、銀イオンが除菌剤６２から洗浄水に溶出して、除菌性が洗浄水に付与される。
【００４５】
また、制御装置５０は、ステップＳ１０４にて、洗浄水の目標温度を第二所定温度Ｔｈ２に設定する。これにより、第二温度センサ４３ｂによって検出される温度が第二所定温度Ｔｈ２となるように、加熱ヒータ４３ａが制御される。第二所定温度Ｔｈ２は、洗浄水の流量が所定流量であり、かつ、除菌剤６２の大きさが第一の所定大きさである場合において、イオン濃度がおよそ第一濃度Ｃ１となる温度である（図５参照）。
【００４６】
第一濃度Ｃ１は、所定濃度範囲Ｈｃのうち比較的低い濃度である（図５参照）。所定濃度範囲Ｈｃは、洗浄水が除菌効果を発揮するとともに、洗浄水中における銀の析出が抑制される銀イオンの濃度となるように設定されている。所定濃度範囲Ｈｃは、およそ５０〜３００μｇ／Ｌに設定されている。所定流量、第二所定温度Ｔｈ２、第一濃度Ｃ１、所定濃度範囲Ｈｃは、予め実験等により実測されて導出されている。
【００４７】
制御装置５０（温度制御部５１）は、ステップＳ１０６にて、除菌ケーシング６１内の洗浄水の電気抵抗値を推定する。制御装置は、具体的には、所定時間（例えば１秒間）内における電気抵抗検出部７０によって検出された電気抵抗値の平均値を、除菌ケーシング６１内の洗浄水の電気抵抗値の推定値（以下、推定電気抵抗値Ｒｓとする。）として導出する。
【００４８】
制御装置５０（温度制御部５１）は、ステップＳ１０８にて、イオン濃度を推定する。制御装置５０は、具体的には、上述した第二相関関係に基づいて、推定電気抵抗値Ｒｓからイオン濃度の推定値を推定濃度Ｃｓとして導出する（図６参照）。
【００４９】
このとき、除菌ケーシング６１内に流入する洗浄水の温度が第二所定温度Ｔｈ２であるため、除菌剤６２の大きさが第一の所定大きさである場合、推定濃度Ｃｓは、およそ第一濃度Ｃ１となる。一方、洗浄制御の実行回数が比較的多くなることにより、除菌剤６２の大きさが第一の所定大きさから小さくなった場合、銀イオンの溶出する量が減少するため、推定電気抵抗値Ｒｓが大きくなる。よって、この場合、推定濃度Ｃｓが第一濃度Ｃ１より小さくなる。例えば除菌剤６２の大きさが第二の所定大きさである場合、推定濃度Ｃｓは、およそ第一濃度Ｃ１より低い第二濃度Ｃ２となる（図５参照）。
【００５０】
制御装置５０（温度制御部５１）は、ステップＳ１１０にて、補正温度を導出する。制御装置５０は、具体的には、第一相関関係に基づいて、推定濃度Ｃｓと目標濃度Ｃｔとの差から、補正温度を導出する。目標濃度Ｃｔは、所定濃度範囲Ｈｃのおよそ中央値である（図５参照）。
【００５１】
制御装置５０は、推定濃度Ｃｓから、複数の第一相関関係のうち一つの第一相関関係を選択する。制御装置５０は、具体的には、第一マップＭ１において、複数の第一相関関係のうち、第二所定温度Ｔｈ２と推定濃度Ｃｓとから構成される点に最も近い第一相関関係を選択する。例えば、推定濃度Ｃｓが第一濃度Ｃ１である場合、第一の所定大きさの第一相関関係が選択される（図５参照）。さらにこの場合、制御装置５０は、第一の所定大きさの第一相関関係に基づいて、目標濃度Ｃｔと第一濃度Ｃ１との差から、第一補正温度Ｔｈｒ１を補正温度として導出する。なお、推定濃度Ｃｓが第二濃度Ｃ２である場合においては、制御装置５０は、第二の所定大きさの第一相関関係を選択するとともに、第二補正温度Ｔｈｒ２を補正温度として導出する。
【００５２】
そして、制御装置５０（温度制御部５１）は、ステップＳ１１２にて、洗浄水の目標温度を補正する。制御装置５０は、具体的には、目標温度を第二所定温度Ｔｈ２に補正温度を加えた温度にする。これにより、制御装置５０は、第二温度センサ４３ｂによって検出される温度が補正された目標温度となるように、加熱装置４３を制御する。洗浄水の温度がおよそ補正された目標温度になったとき、除菌性付与部６０にて洗浄水に溶出する銀イオンの量が調整されて、イオン濃度がおよそ補正された目標濃度Ｃｔに調整される。
【００５３】
除菌性付与部６０にて銀イオンが溶出されて除菌性が付与された洗浄水は、除菌ケーシング６１内から流出口６１ｂを介して洗浄ノズル４５ｄに供給される。そして、この洗浄水は、洗浄ノズル４５ｄから噴出されて、ノズル４５ｂ，４５ｃの先端部４５ｂ１，４５ｃ１の表面を流れる。洗浄水に銀イオンが含まれているため、ノズル４５ｂ，４５ｃの先端部４５ｂ１，４５ｃ１が除菌される。洗浄水は、ノズル４５ｂ，４５ｃの先端部４５ｂ１，４５ｃ１を洗浄した後、便鉢部２ａに導出される。
【００５４】
制御装置５０は、ステップＳ１１４にて、プログラムを開始した時点から所定時間（例えば６秒）が経過したか否かを判定する。所定時間が経過していない場合、制御装置５０は、ステップＳ１１４にて「ＮＯ」と判定し、プログラムをステップＳ１０６に戻す。すなわち、この場合、制御装置５０は、ステップＳ１０６〜１１４を繰り返し実行する。一方、プログラムを開始した時点から所定時間が経過した場合、制御装置５０は、ステップＳ１１４にて「ＹＥＳ」と判定し、ステップＳ１１６にて除菌性付与部６０への洗浄水の供給を停止する。制御装置５０は、具体的には、給水装置４１を非通電にして閉状態するとともに、ポンプ４４の駆動を停止する。これにより、洗浄ノズル４５ｄからの洗浄水の噴出が停止して洗浄制御が終了する。
【００５５】
本実施形態によれば、局部洗浄装置１は、便鉢部２ａを有する腰掛式便器２に設置され、水道配管３から給水装置４１を介して供給された洗浄水を噴出して人体の局部を洗浄する。局部洗浄装置１は、給水装置４１から洗浄水が供給され、ノズル４５ｂ，４５ｃの先端部４５ｂ１，４５ｃ１に洗浄水を噴出する洗浄ノズル４５ｄと、給水装置４１と洗浄ノズル４５ｄとの間に設けられて内部に洗浄水が流れる除菌ケーシング６１と、除菌ケーシング６１に収容されて洗浄水と接触することにより殺菌性を有する銀イオンを洗浄水に溶出する粒状の除菌剤６２と、を備えた除菌性付与部６０と、除菌ケーシング６１の内部に流れる洗浄水の電気抵抗値を検出する電気抵抗検出部７０と、給水装置４１と除菌性付与部６０との間に設けられ、洗浄水を加熱する加熱装置４３と、加熱装置４３を少なくとも制御する制御装置５０と、を備えている。制御装置５０は、電気抵抗検出部７０によって検出された電気抵抗値に基づいて、除菌性付与部６０に供給される洗浄水の温度を加熱装置４３によって制御する温度制御部５１を備えている。
【００５６】
これによれば、局部洗浄装置１の制御装置５０（温度制御部５１）は、電気抵抗検出部７０によって検出された電気抵抗値に基づいて、除菌性付与部６０に供給される洗浄水の温度を加熱装置４３によって制御する。除菌性付与部６０に供給される洗浄水の温度が高くなるにしたがって、除菌剤６２から洗浄水に溶出する銀イオンの量が多くなるため、洗浄水の銀イオンの濃度（イオン濃度）が高くなり、かつ、除菌効果が大きくなる。また、イオン濃度が高くなるにしたがって、洗浄水の電気抵抗値が小さくなる。よって、制御装置５０が電気抵抗検出部７０によって検出された電気抵抗値に基づいて洗浄水の温度を制御することにより、イオン濃度をおよそ一定に調整することができる。したがって、ノズル４５ｂ，４５ｃの先端部４５ｂ１，４５ｃ１に対する除菌効果のばらつきを抑制することができる。
【００５７】
また、除菌ケーシング６１は、内部に洗浄水が流入する流入口６１ａおよび内部から洗浄水が流出する流出口６１ｂを備え、流入口６１ａの流路断面積は、流出口６１ｂの流路断面積より小さく設けられている。
【００５８】
これによれば、流入口６１ａの流路断面積が流出口６１ｂの流路断面積以上である場合に比べて、除菌ケーシング６１内における洗浄水の流速を大きくすることができる。よって、除菌剤６２の表面に塩化物等の不動皮膜が形成されている場合においても、洗浄水の流れる勢いによって不動皮膜を除去することができる。したがって、不動皮膜による除菌剤６２の溶解の妨げを抑制することができる。
【００５９】
また、流入口６１ａは、洗浄水が第一方向Ｗ１に沿って除菌ケーシング６１の内部に流入するように設けられている。流出口６１ｂは、洗浄水が第二方向Ｗ２に沿って除菌ケーシング６１の内部から流出するように設けられている。第一方向Ｗ１と第二方向Ｗ２とは、ねじれの関係にある。
【００６０】
これによれば、除菌ケーシング６１内に流入口６１ａから流入した洗浄水は、除菌ケーシング６１の周側壁６１ｃ，右側壁６１ｄ，左側壁６１ｅの内面に繰り返し反射しながら流出口６１ｂに向かって流れる。よって、除菌剤６２は、洗浄水が流入口６１ａから流出口６１ｂに直接流れる場合に比べて、除菌ケーシング６１内において洗浄水の流れる勢いによって攪拌される。よって、除菌剤６２の溶解の均一化を図ることができる。
【００６１】
なお、上述した実施形態において、局部洗浄装置の一例を示したが、本発明はこれに限定されず、他の構成を採用することもできる。例えば、上述した実施形態において被洗浄部は、ノズル４５ｂ，４５ｃの先端部４５ｂ１，４５ｃ１であるが、これに代えて、本体ケーシング１０ａの一部にしても良い。
【００６２】
また、上述した実施形態において、洗浄ノズル４５ｄは、局部洗浄装置１の被洗浄部（ノズル４５ｂ，４５ｃの先端部４５ｂ１，４５ｃ１）に洗浄水を噴出するが、これに代えて、便鉢部２ａ内に洗浄水を噴出するようにしても良い。これによれば、洗浄ノズル４５ｄは、給水装置４１から洗浄水が供給され、洗浄水を便鉢部２ａ内または局部洗浄装置１の被洗浄部に向けて噴出する。
【００６３】
また、上述した実施形態おいて、除菌性付与部６０は、第七の接続水路Ｌ７に設けられているが、これに代えて、接続水路Ｌ１〜Ｌ４の何れか一つに設けるようにしても良い。
また、上述した実施形態おいて、加熱装置４３は、給水装置４１と除菌性付与部６０との間に設けられているが、加熱装置４３を、給水装置４１と一体に形成するようにしても良い。すなわち、加熱装置４３は、給水装置４１における洗浄水を導入する導入部４１ａ（図２参照）と除菌性付与部６０との間に形成される。導入部４１ａは、給水装置４１における給水ホースＨとの接続部である。
【００６４】
また、上述した実施形態において、制御装置５０は、第二相関関係に基づいて推定電気抵抗値Ｒｓから推定濃度Ｃｓを導出した後に、第一相関関係に基づいて推定濃度Ｃｓから補正温度を導出しているが、これに代えて、推定電気抵抗値Ｒｓから補正温度を直接的に導出するようにしても良い。この場合、洗浄水は、第三相関関係に基づいて、推定電気抵抗値Ｒｓから補正温度を導出する。第三相関関係は、推定電気抵抗値Ｒｓと補正温度との関係を示すものである。第三相関関係は、推定電気抵抗値Ｒｓが小さくなるにしたがって、補正温度が大きくなる関係である。第三相関関係は、予め実験等により実測されて導出されている。
【００６５】
また、上述した実施形態において、制御装置５０は、ステップＳ１１４にて「ＮＯ」と判定した場合、ステップＳ１０６〜１１４を再度実行するが、これに代えて、ステップＳ１１４のみを所定時間が経過するまで繰り返し実行するようにしても良い。
【００６６】
また、本発明の要旨を逸脱しない範囲において、除菌ケーシング６１の形状、第一方向Ｗ１と第二方向Ｗ２との関係を変更するようにしても良い。
【符号の説明】
【００６７】
１…局部洗浄装置、２…腰掛式便器、２ａ…便鉢部、３…水道配管（給水源）、１０…本体部、４０…洗浄機能部、４１…給水装置、４２…流量検出装置、４３…加熱装置、４３ａ…加熱ヒータ、４３ｂ…第二温度センサ、４５…ノズル装置、４５ｂ…おしりノズル、４５ｂ１，４５ｃ１…先端部（被洗浄部）、４５ｃ…ビデノズル、４５ｄ…洗浄ノズル、５０…制御装置、５１…温度制御部、６０…除菌性付与部、６１…除菌ケーシング（ケーシング）、６１ａ…流入口、６１ｂ…流出口、６２…除菌剤、７０…電気抵抗検出部、Ｗ１…第一方向、Ｗ２…第二方向。
【図１】
2018025063.tif 000003
【図２】
2018025063.tif 000004
【図３】
2018025063.tif 000005
【図４】
2018025063.tif 000006
【図５】
2018025063.tif 000007
【図６】
2018025063.tif 000008
【図７】
2018025063.tif 000009
【図８】
2018025063.tif 000010